(57)【要約】【課題】複数の発光素子を部分的に駆動するときの、暗部となるべき部分への色つきを抑制することのできる部分駆動型光源装置を提供する。【解決手段】本発明の部分駆動型光源装置１は、複数の発光素子１０からなり、部分駆動可能な励起光源と、前記励起光源と離隔して配置され、前記励起光源からの入射光の波長領域の少なくとも一部を変換して、前記入射光とは異なる波長領域の出射光を放出する蛍光体を含む蛍光体シート２０と、前記励起光源及び前記蛍光体シートとの間に配置され、前記励起光源からの前記入射光の波長領域の光の少なくとも一部を透過するとともに、前記蛍光体シートからの前記出射光の波長領域の少なくとも一部の光を反射する波長選択性反射膜３０と、を有することを特徴とする。【選択図】図５
2017084827.tif 000002
【特許請求の範囲】
【請求項１】
複数の発光素子からなり、部分駆動可能な励起光源と、
前記励起光源と離隔して配置され、前記励起光源からの入射光の波長領域の少なくとも一部を変換して、前記入射光とは異なる波長領域の出射光を放出する蛍光体を含む蛍光体シートと、
前記励起光源及び前記蛍光体シートとの間に配置され、前記励起光源からの前記入射光の波長領域の少なくとも一部の光を透過するとともに、前記蛍光体シートからの前記出射光の波長領域の少なくとも一部の光を反射する波長選択性反射膜と、を有することを特徴とする部分駆動型光源装置。
【請求項２】
前記蛍光体シートと前記波長選択性反射膜とが隣接して配置される、請求項１に記載の部分駆動型光源装置。
【請求項３】
前記蛍光体シートと前記波長選択性反射膜とが一体化している、請求項１に記載の部分駆動型光源装置。
【請求項４】
前記励起光源における前記複数の発光素子が格子状に配列する、請求項１〜３のいずれか１項に記載の部分駆動型光源装置。
【請求項５】
前記励起光源と前記波長選択性反射膜との間に拡散板を更に有する、請求項１〜４のいずれか１項に記載の部分駆動型光源装置。
【請求項６】
前記発光素子が青色ＬＥＤである、請求項１〜５のいずれか１項に記載の部分駆動型光源装置。
【請求項７】
前記波長選択性反射膜は、前記青色ＬＥＤの発光波長領域の少なくとも一部を透過するとともに、緑色から赤色にかけての波長領域の少なくとも一部の光を反射する、請求項６に記載の部分駆動型光源装置。
【請求項８】
前記発光素子がマゼンタＬＥＤである、請求項１〜５のいずれか１項に記載の部分駆動型光源装置。
【請求項９】
前記マゼンタＬＥＤは、青色ＬＥＤと、該青色ＬＥＤのチップ上方面に配置された赤色蛍光体から構成される、請求項８に記載の部分駆動型光源装置。
【請求項１０】
前記赤色蛍光体はフッ化物赤色発光蛍光体である、請求項９に記載の部分駆動型光源装置。
【請求項１１】
前記フッ化物赤色発光蛍光体は、Ｋ２ＳｉＦ６である、請求項１０に記載の部分駆動型光源装置。
【請求項１２】
前記波長選択性反射膜は、前記マゼンタＬＥＤの発光波長領域の少なくとも一部を透過するとともに、緑色の波長領域の少なくとも一部の光を反射する、請求項８〜１１のいずれか１項に記載の部分駆動型光源装置。
【請求項１３】
前記蛍光体シートの前記蛍光体は、硫化物系蛍光体である、請求項１〜１２のいずれか１項に記載の部分駆動型光源装置。
【請求項１４】
前記硫化物系蛍光体は、赤色硫化物蛍光体及び緑色硫化物蛍光体のうちの少なくともいずれかを含む、請求項１３に記載の部分駆動型光源装置。
【請求項１５】
前記赤色硫化物蛍光体は、硫化カルシウム蛍光体であり、前記緑色硫化物蛍光体は、チオガレート蛍光体である、請求項１４に記載の部分駆動型光源装置。
【請求項１６】
前記蛍光体シートの前記蛍光体は、イットリウムセリウムアルミニウムガーネット蛍光体である、請求項１〜７のいずれか１項に記載の部分駆動型光源装置。
【請求項１７】
請求項１〜１６のいずれか１項に記載の部分駆動型光源装置を備えることを特徴とする画像表示装置。
【発明の詳細な説明】
【技術分野】
【０００１】
本発明は、部分駆動型光源装置及びそれを用いた画像表示装置に関し、特にリモートフォスファー方式の部分駆動型光源装置に関する。
【背景技術】
【０００２】
従来、フラットパネルディスプレイの技術分野において、液晶ディスプレイ、プラズマディスプレイ及びアクティブマトリクス式有機ＥＬ（ＡＭＯＬＥＤ）等が用いられている。ここで、これらを光源に着目すると、液晶ディスプレイはバックライト型のディスプレイに分類され、プラズマディスプレイ及びアクティブマトリクス式有機ＥＬは自発光型のディスプレイに分類される。
【０００３】
バックライト型の液晶ディスプレイは、暗い画像を映し出すときでもバックライトを点灯させる必要があるため、画面輝度が十分に下がらず（いわゆる「黒浮き」）、自発光型ディスプレイに比べて明暗のコントラストに劣るという問題があることが知られている。
【０００４】
この黒浮きと呼ばれる問題を解決するため、バックライトの点灯領域を分割制御する技術、いわゆる部分駆動（「エリア駆動」、「バックライト駆動」、「Local dimming（ローカルディミング）」と称されることもある。）技術が実用化されてきた。部分駆動型のバックライトでは、同一画面内の明るい画像が映し出されている部分（明部）ではバックライトの光源であるＬＥＤを明るく点灯させる。一方、暗い画像が映し出されている部分（暗部）ではＬＥＤの輝度を下げる。こうすることで、画像の明部と暗部との輝度コントラストが向上できる。
【０００５】
しかしながら、部分駆動型のバックライトであっても、部分制御する画面の分割数が少なく、かつ、部分駆動する一つの制御領域内に明部も暗部も存在するような場合には、部分駆動による輝度コントラスト向上の恩恵を享受できない。これは、一つの制御領域内に明部も暗部も存在する場合には、ＬＥＤを明部に合わせて明るく点灯させる必要があるため、制御領域内の部分的な暗部には、バックライト光が淡く漏れてしまうからである。
【０００６】
したがって、画面の細部にわたって部分駆動を有効に機能させるため、画面の部分駆動分割数を出来るだけ増やすことが望ましく、分割数を多く取ることのできる「直下型」と呼ばれる部分駆動型のバックライトが注目されている。
【０００７】
ところで、バックライトとして機能する光源装置は、緑色及び赤色発光の蛍光体又は黄色発光の蛍光体と、蛍光体の励起光源となるＬＥＤとからなる発光部から構成されるのが一般的である。蛍光体は、以下の三形態のいずれかで用いられることが多い。第一の形態では、蛍光体を樹脂材料に混ぜ合わせてＬＥＤチップを覆う。第二の形態では、ＬＥＤの発光面に蛍光体を直接塗布する。第三の形態では、ＬＥＤと蛍光体を含有する蛍光体シートとを離隔した構造（以下、本明細書において「リモートフォスファー方式」と称する。）を用いる（例えば特許文献１）。
【０００８】
ここで、上記第三の形態である、従来技術に係るリモートフォスファー方式の直下型バックライトを、図１の模式図を用いてより具体的に説明する。図１の直下型バックライトにおいては、シャーシ５１に励起光源となる青色ＬＥＤ１０Ｂが格子状に配列され、青色ＬＥＤ１０Ｂを除くシャーシ５１の内側には反射シート５２が設置される。青色ＬＥＤ１０Ｂの上方には、拡散板４０、蛍光体シート２０、光学シート群７０がこの順に設けられ、シート固定部材５３により把持される。なお、蛍光体シート２０は青色ＬＥＤ１０Ｂと離隔している。蛍光体シート２０の励起光源となる青色ＬＥＤ１０Ｂが発光すると、励起光として蛍光体シート２０に入射し、蛍光体シート２０は赤色から緑色にかけての波長領域の出射光を放出する。青色ＬＥＤ１０Ｂからの入射光と、蛍光体シート２０からの出射光が合わさって、白色光となる。
【０００９】
なお、前述の第一乃至第三の形態の中では、第一の形態が現在最も多く採用されている。しかしながら、第一及び第二の形態では、ＬＥＤの発光に起因する熱や光の影響が蛍光体に直接及ぼし得る。また、蛍光体が空気中の水分で劣化しやすい場合、蛍光体を分散させた樹脂全体を水分から保護する構造が必要になる場合があるが、技術的および価格的理由で第一及び第二の形態より第三の形態の方が好ましい場合が多い。そのため、熱や光に起因する劣化が生じやすい種類の蛍光体や、水分で劣化が生じやすい蛍光体を用いる場合には、第三の形態であるリモートフォスファー方式が注目されている。
【先行技術文献】
【特許文献】
【００１０】
【特許文献１】特開２００９−１５８４６２号公報
【発明の概要】
【発明が解決しようとする課題】
【００１１】
本発明者らは、リモートフォスファー方式の直下型バックライトを、部分駆動型として、より明暗のコントラストを向上させることを検討した。図１のバックライトを部分駆動とした場合、図２（Ａ）に模式的に示すように、発光素子である青色ＬＥＤ１０Ｂの点灯領域の上方が明るくなり、青色ＬＥＤ１０Ｂの消灯領域の上方は暗くなる（図２（Ａ）中、白抜きの青色ＬＥＤ１０Ｂは点灯しており、黒塗りの青色ＬＥＤ１０Ｂは消灯している。図４も同様である。その他の図における発光素子１０又は青色ＬＥＤ１０Ｂについては、白抜き及び黒塗りによる点灯及び消灯の区別を意図しない。）。なお、図２（Ａ）では青色ＬＥＤ１０の点灯領域を中央領域のみとしている。図２（Ａ）のように青色ＬＥＤ１０Ｂの点灯領域を制御した場合、図２（Ｂ）に画像パターンを模式的に示すように、画像中央部に明部が表示される一方、中央部以外では暗部（図中の右下がりハッチング部）となって、明部と暗部との輝度コントラストの向上が期待された。
【００１２】
しかしながら、試作したリモートフォスファー方式の直下型部分駆動バックライトでは、図３に画像パターンを模式的に示すように、画像中央部の明部の周辺領域（図中の左下がりハッチング部）に蛍光体シートからの光が回り込み、暗部となるべき部分の一部に黄色味が強くなってしまう現象（以下、この現象を本明細書において「色つき」と称する。）が生じるという問題があることが判明した。
【００１３】
そこで、本発明は、複数の発光素子を部分的に駆動するときの、暗部となるべき部分への色つきを抑制することのできる部分駆動型光源装置を提供することを目的とする。
【課題を解決するための手段】
【００１４】
本発明者らは、前記諸目的を達成すべく鋭意検討を行い、色つき現象の発生原因を追究した。そして、本発明者らは、以下の二つの事象（１）、（２）が色つき現象の原因と考えた。以下、図４の模式図を用いて、本発明者らの検討に基づく色つき現象のメカニズムを説明する。図４中、青色光を実線で表し、赤色から緑色にかけての波長領域の光（黄色域の波長領域の光であってもよい）を破線で表す。なお、蛍光体シート２０における青色光の透過及び放出については、図面を簡潔にするため省略する。
【００１５】
（１）点灯部側の蛍光体シート２０による出射光のうち、後方回帰光Ｌ２が消灯部に入射する。なお、Ｌ２は、青色光よりも赤色から緑色にかけての波長領域の光がリッチである。蛍光体シートから出射する赤色から緑色にかけての波長領域の光は、半分が外部（図４の上方に相当）に出、半分が後方回帰光となる。青色光が後方に回帰する割合はこれよりも低い。また後方回帰光Ｌ２が消灯部の蛍光体シートに入ると、再び色変換が行われる。そのため、点灯部から出る光よりも赤緑成分が増す。
【００１６】
（２）点灯部側の青色ＬＥＤ１０Ｂからの放射光のうち、拡散板４０及び反射シート５２と反射した反射光Ｌ１’’が消灯部側の蛍光体シート２０に入射し、赤色から緑色にかけての波長領域の光を放出する。また、点灯部側の青色ＬＥＤ１０Ｂからの放射光のうち、消灯部側の蛍光体シートに低角で斜め入射する光Ｌ１’が消灯部側の蛍光体シート２０に入射し、赤色から緑色にかけての波長領域の光を放出する。光Ｌ１’、光Ｌ１’’は消灯部側では蛍光体シートに斜めに入射して、点灯部側よりも光路が長くなるため、青色光が蛍光体によってより多く変換されることも考えられる。
【００１７】
本発明者らの鋭意検討により、実際には上記（１）の事象が色つきの要因として支配的であることが確認された。そこで、本発明者らは、励起光源と蛍光体シートとの間に励起光源からの入射光を透過するとともに、蛍光体シートからの出射光を反射する波長選択性反射膜を設けることを着想した。また、この波長選択性反射膜を用いつつ、既述の第一形態又は第二形態で蛍光体が使用されたＬＥＤを、リモートフォスファー方式に適用することも本発明者らは着想した。そして、斯かる波長選択性反射膜によって、リモートフォスファー方式の部分駆動型光源装置における色つきを顕著に抑制できることを本発明者らは知見し、本発明を完成するに至った。
【００１８】
本発明は、本発明者らによる前記知見に基づくものであり、前記諸課題を解決するための手段としては以下の通りである。即ち、
＜１＞  複数の発光素子からなり、部分駆動可能な励起光源と、
前記励起光源と離隔して配置され、前記励起光源からの入射光の波長領域の少なくとも一部を変換して、前記入射光とは異なる波長領域の出射光を放出する蛍光体を含む蛍光体シートと、
前記励起光源及び前記蛍光体シートとの間に配置され、前記励起光源からの前記入射光の波長領域の光の少なくとも一部を透過するとともに、前記蛍光体シートからの前記出射光の波長領域の少なくとも一部の光を反射する波長選択性反射膜と、を有することを特徴とする部分駆動型光源装置である。
該＜１＞に記載の部分駆動型光源装置は、複数の発光素子を部分的に駆動するときの、暗部となるべき部分への色つきを抑制することができる。
【００１９】
＜２＞  前記蛍光体シートと前記波長選択性反射膜とが隣接して配置される、前記＜１＞に記載の部分駆動型光源装置である。
【００２０】
＜３＞  前記蛍光体シートと前記波長選択性反射膜とが一体化している、前記＜１＞に記載の部分駆動型光源装置である。
【００２１】
＜４＞  前記励起光源における前記複数の発光素子が格子状に配列する前記＜１＞〜＜３＞のいずれかに記載の部分駆動型光源装置である。
【００２２】
＜５＞  前記励起光源と前記波長選択性反射膜との間に拡散板を更に有する、前記＜１＞〜＜４＞のいずれかに記載の部分駆動型光源装置である。
【００２３】
＜６＞  前記発光素子が青色ＬＥＤである、前記＜１＞〜＜５＞のいずれかに記載の部分駆動型光源装置である。
【００２４】
＜７＞  前記波長選択性反射膜は、前記青色ＬＥＤの発光波長領域の少なくとも一部を透過するとともに、緑色から赤色にかけての波長領域の少なくとも一部の光を反射する、前記＜６＞に記載の部分駆動型光源装置である。
【００２５】
＜８＞  前記発光素子がマゼンタＬＥＤである、前記＜１＞〜＜５＞のいずれかに記載の部分駆動型光源装置である。
なお本明細書における「マゼンタＬＥＤ」とは、発光色が肉眼でマゼンタ色に見えるＬＥＤを意味し、詳細については後述する。
【００２６】
＜９＞  前記マゼンタＬＥＤは、青色ＬＥＤと、該青色ＬＥＤのチップ上方面に配置された赤色蛍光体から構成される、前記＜８＞に記載の部分駆動型光源装置である。
【００２７】
＜１０＞  前記マゼンタＬＥＤは、チップ上方面にフッ化物赤色発光蛍光体が配置される、前記＜９＞に記載の部分駆動型光源装置である。
【００２８】
＜１１＞  前記フッ化物赤色発光蛍光体は、Ｋ２ＳｉＦ６である、前記＜１０＞に記載の部分駆動型光源装置である。
【００２９】
＜１２＞  前記波長選択性反射膜は、前記マゼンタＬＥＤの発光波長領域の少なくとも一部を透過するとともに、緑色の波長領域の少なくとも一部の光を反射する、前記＜８＞〜＜１１＞のいずれかに記載の部分駆動型光源装置である。
【００３０】
＜１３＞  前記蛍光体シートの前記蛍光体は、硫化物系蛍光体である、前記＜１＞〜＜１２＞のいずれかに記載の部分駆動型光源装置である。
【００３１】
＜１４＞  前記硫化物系蛍光体は、赤色硫化物蛍光体及び緑色硫化物蛍光体のうちの少なくともいずれかを含む、前記＜１３＞に記載の部分駆動型光源装置である。
【００３２】
＜１５＞  前記赤色硫化物蛍光体は、硫化カルシウム蛍光体であり、前記緑色硫化物蛍光体は、チオガレート蛍光体である、前記＜１４＞に記載の部分駆動型光源装置である。
【００３３】
＜１６＞  前記蛍光体シートの前記蛍光体は、イットリウムセリウムアルミニウムガーネット蛍光体である、前記＜１＞〜＜７＞のいずれかに記載の部分駆動型光源装置である。
【００３４】
＜１７＞  前記＜１＞〜＜１６＞のいずれかに記載の部分駆動型光源装置を備えることを特徴とする画像表示装置である。
該＜１７＞に記載の画像表示装置は、暗部となるべき部分への色つきを抑制することができる。
【発明の効果】
【００３５】
本発明によれば、従来における前記諸問題を解決し、前記目的を達成することができ、複数の発光素子を部分的に駆動するときの、暗部となるべき部分への色つきを抑制することのできる部分駆動型光源装置を提供することができる。
【図面の簡単な説明】
【００３６】
【図１】従来技術に係るリモートフォスファー方式の直下型バックライトを説明する模式図である。
【図２】（Ａ）は、本発明者らの検討に基づくリモートフォスファー方式の直下型バックライトを部分駆動するときの模式図であり、（Ｂ）は、本発明者らにより見込まれていた表示画像パターンの模式図である。
【図３】本発明者らの検討により知見された、リモートフォスファー方式の直下型バックライトを部分駆動したときに生ずる色つきを説明する模式図である。
【図４】色つきが発生するメカニズムを説明する模式図である。
【図５】本発明の一実施形態に従う部分駆動型光源装置１を説明する模式図であり、（Ａ）は部分駆動型光源装置１の要部を示す模式図であり、（Ｂ）、（Ｃ）は蛍光体シート２０及び波長選択性反射膜３０の好適実施形態を示す模式図である。
【図６】本発明の好適実施形態に係る、蛍光体シート２０及び波長選択性反射膜３０からなる一体化シート２５の製造方法の一実施形態を説明する模式図である。
【図７】実験例１，２において用いたバックライトの模式図であり、（Ａ）は青色ＬＥＤ１０Ｂの配置を示す斜視図であり、（Ｂ）はバックライトの断面図である。
【図８】（Ａ）は実験例１，２において用いた青色ＬＥＤの発光スペクトルを示すグラフであり、（Ｂ）、（Ｃ）は実験例１において用いた緑色放出蛍光体及び赤色発光蛍光体の発光スペクトルをそれぞれ示すグラフである。
【図９】実験例１におけるバックライトの発光スペクトル及び波長選択性反射膜の分光反射スペクトルを示すグラフである。
【図１０】実験例１において用いた波長選択性反射膜の分光反射率の入射角依存性を示すグラフである。
【図１１】実験例１，２における、輝度色度計による測定領域Ｒ１〜Ｒ９を示す模式図である。
【図１２】実験例１〜３における、輝度色度計による測定方法を示す模式図である。
【図１３】実験例２におけるバックライトの発光スペクトル及び波長選択性反射膜の分光反射スペクトルを示すグラフである。
【図１４】実験例３において用いたマゼンタＬＥＤの発光スペクトルを示すグラフである。
【図１５】実験例３において用いたバックライトの模式図であり、（Ａ）はマゼンタＬＥＤ１０Ｍの配置を示す上面図であり、（Ｂ）はマゼンタＬＥＤ１０Ｍの配置を示す斜視図であり、（Ｃ）はバックライトの断面図である。
【図１６】実験例３におけるバックライトの発光スペクトル及び波長選択性反射膜の分光反射スペクトルを示すグラフである。
【図１７】実験例３における、輝度色度計による測定領域Ｒ１０〜Ｒ１２を示す模式図である。
【発明を実施するための形態】
【００３７】
以下、図面を参照しつつ、本発明を具体的に説明する。なお、図面における各構成の大きさについては模式的に誇張して示したに過ぎず、実際の大きさとは異なる。
【００３８】
（部分駆動型光源装置）
図５（Ａ）に示すように、本発明の一実施形態に従う部分駆動型光源装置１は、複数の発光素子１０からなる励起光源と、蛍光体シート２０と、波長選択性反射膜３０と、さらに必要に応じて、その他の構成を含む。この部分駆動型光源装置１は、液晶ディスプレイ等のバックライト型の画像表示装置用の部分駆動型バックライトに供して好適である。
【００３９】
図５（Ａ）に示すように、部分駆動型光源装置１は、複数の発光素子１０からなり、部分駆動可能な励起光源を有する。また、部分駆動型光源装置１は、励起光源と離隔して配置され、励起光源からの入射光の波長領域の少なくとも一部を変換して、前記入射光とは異なる波長領域の出射光を放出する蛍光体を含む蛍光体シート２０を有する。さらに、部分駆動型光源装置１は、前記励起光源及び前記蛍光体シートとの間に配置され、前記励起光源からの前記入射光の波長領域の少なくとも一部を透過するとともに、蛍光体シート２０からの前記出射光の少なくとも一部を反射する波長選択性反射膜３０を有する。以下、発光素子１０として青色ＬＥＤ１０Ｂを用いる、または、中心発光波長領域が青色よりも短波長側のＬＥＤを用いる第１実施形態をまず説明する、次いで、発光素子１０がマゼンタＬＥＤ１０Ｍである第２実施形態を説明する。なお、同一の構成要素には原則として同一の参照番号を付して、重複する説明を省略する。
【００４０】
（第１実施形態：部分駆動型光源装置）
＜励起光源＞
励起光源は、前述のとおり複数の発光素子１０からなり、部分駆動が可能である。発光素子１０は、蛍光体シート２０の蛍光体を励起することができれば任意の種類の発光素子を用いることができるが、第１実施形態では青色ＬＥＤ１０Ｂであることが好ましい。ここでいう青色ＬＥＤ１０Ｂは、中心発光波長が４４０ｎｍ〜４７５ｎｍ程度であるものを指す。勿論、蛍光体シート２０の蛍光体を適切に励起できれば、中心発光波長が青色域であるものに限られず、紫外ＬＥＤ等であってもよい。
【００４１】
なお、第１実施形態における発光素子１０（青色ＬＥＤ１０Ｂの場合を含む）は、既述の第一及び第二の形態ではなく、第三の形態であるリモートフォスファー方式に用いるものであるため、発光素子１０におけるＬＥＤチップは蛍光体によってポッティングされていないし、発光面が蛍光体によって塗布されていない。また、励起光源の設置条件の限定を意図しないが、図１に既述のように、励起光源をシャーシ内部に設置することが一般的である。また、部分駆動するための制御回路等については、図示しないが公知のものが適用可能である。
【００４２】
＜蛍光体シート＞
蛍光体シート２０は、前述のとおり、励起光源からの入射光の波長領域の少なくとも一部を変換して、前記入射光とは異なる波長領域の出射光を放出する蛍光体を含む。励起光源が青色ＬＥＤ１０Ｂである場合には、青色の波長領域を変換して、青色よりも長波長側の波長領域の出射光を放出する蛍光体を用いることが好ましい。
【００４３】
本実施形態はリモートフォスファー方式であるため、蛍光体シート２０に用いる蛍光体の種類に依存せず適用可能である。本実施形態の蛍光体シート２０に用いることのできる蛍光体として、硫化物蛍光体を挙げることができる。硫化物系蛍光体を用いる場合、蛍光体シート２０の蛍光体は、赤色硫化物蛍光体及び緑色硫化物蛍光体のうちの少なくともいずれかを含むことが好ましく、両方を含むことがより好ましい。そして、赤色硫化物蛍光体として、硫化カルシウム蛍光体を用いることができ、緑色硫化物蛍光体として、チオガレート蛍光体を用いることができる。また、蛍光体シート２０の蛍光体は硫化物系蛍光体以外にも、ＹＡＧ系蛍光体を用いてもよく、イットリウムセリウムアルミニウムガーネット蛍光体を用いてもよい。
【００４４】
また、蛍光体シート２０は励起光源と離隔して配置されれば、その間隔は特に制限されないものの、熱の影響とLED配列時の輝度むらの抑制に有効である。LEDの配列時の輝度むらはLEDの放射角度分布設計や、他の拡散板、光学フィルム、反射シート部材によって大きく変わるが、10mm以上の離隔間隔とすることが望ましい。
【００４５】
＜波長選択性反射膜＞
波長選択性反射膜３０は、前述のとおり励起光源からの入射光の波長領域の少なくとも一部を透過するとともに、蛍光体シート２０からの出射光の少なくとも一部を反射する機能を有する。このような波長選択性反射膜はダイクロイック・フィルタとも呼ばれ、誘電体多層膜によって作製されるのが一般的である。
【００４６】
第１実施形態においては、通常、励起光源からの入射光の波長領域が、蛍光体シート２０からの出射光よりも短波長領域である。そこで、波長選択性反射膜３０は、短波長側の光を透過しつつ、長波長側の光を反射するものであることが好ましい。励起光源が青色ＬＥＤ１０Ｂである場合、波長選択性反射膜３０は、青色ＬＥＤの発光波長領域（すなわち、青色）の光を透過しつつ、緑色から赤色にかけての波長領域の光を反射するものであることが好ましい。なお、波長選択性反射膜３０には入射角依存性が存在するため、透過及び反射の閾値を選定する際には入射角依存性まで考慮することが好ましい。
【００４７】
本実施形態に従う部分駆動型光源装置１において、波長選択性反射膜３０は、励起光源と、蛍光体シート２０との間に配置される。したがって、前述のとおり蛍光体シート２０からの後方回帰光に起因する色つきを顕著に抑制することができる。
【００４８】
ここで、蛍光体シート２０は、蛍光体を含む以外にも、蛍光体を保護するフィルムを更に有していてもよい。このような場合、図５（Ｂ）に模式的に示すように、蛍光体シート２０は蛍光体層２１と、該蛍光体層２１の両面側に保護フィルム２２，２３とを有することができる。蛍光体層２１は、樹脂組成物に前述の蛍光体を含有させたものからなることができる。樹脂組成物としては、蛍光体層２１を形成する材料として公知のもの、例えばポリオレフィン共重合体成分及び光硬化性アクリル樹脂成分等を用いることができる。また、保護フィルム２２，２３に用いる材料としては、ＰＥＴ（ポリエチレンテレフタラート）等のプラスチック基板及び酸化アルミニウム等の金属酸化物薄膜を用いることができる。
【００４９】
波長選択性反射膜３０を、励起光源と、蛍光体シート２０との間に配置する際に、空隙があったり、任意の光学フィルム等が配置されていたりしても本実施形態の効果は勿論得られる。しかしながら、図５（Ｂ）に示すように、蛍光体シート２０と波長選択性反射膜３０とを隣接して配置することが好ましい。蛍光体シート２０はプリズムシート等の光リサイクル性のある光学シートよりも光源側に設置する方が、光学シートからのリサイクル光を利用して波長変換効率を上げることができ、その結果蛍光体シート２０に使用される蛍光体量を減らすことができるためである。例えば、波長選択性反射膜３０直上に蛍光体シート２０を載置することができる。ただしこの場合、蛍光体シート２０（より具体的には保護フィルム２３）の表面及び波長選択性反射膜３０の表面の双方に不可避的に存在する微細な凹凸のため、微細な空気層（図示せず）が存在し得る。
【００５０】
このような空気層は、蛍光体層２１に入射する励起光がこの界面を通過する際に、界面により光の一部が反射され、その結果、光の利用効率が下がりバックライト全体としての輝度低下の一因となり得る。そこで、光の利用効率をより向上させるために、前述の空隙又は上記微細な空気層を排除することが好ましい。そこで、図５（Ｃ）に示すように、蛍光体シート２０と波長選択性反射膜３０とが一体化した一体化シート２５を用いることがより好ましい。一体化シート２５における蛍光体シート２０は、蛍光体層２１を含み、片面側では保護フィルム２２を有してもよいが、保護フィルム２２と反対側の面には波長選択性反射膜３０が接合している。蛍光体層２１は接着性を持つ樹脂材料を用いているので、図５（Ｂ）における保護フィルム２３に替えて、蛍光体層２１と波長選択性反射膜３０とを直接接合すれば、このような一体化シート２５を得ることができる。
【００５１】
＜拡散板＞
また、励起光源を均一な面光源とするため、部分駆動型光源装置１は、図５（Ａ）に示すように、拡散板４０を更に有することも好ましい。拡散板４０は、励起光源と波長選択性反射膜３０との間に設置されることが好ましい。また、拡散板４０は波長選択性反射膜３０及び蛍光体シート２０の支持体の少なくとも一部を兼ねることもできる。
【００５２】
＜光学フィルム＞
さらに、図示しないが、部分駆動型光源装置１は、バックライトにおいて一般的に用いられる、プリズムシート及び光拡散シート等を含む光学フィルム群を更に有していてもよい。これらの光学フィルム群は、図５（Ａ）において、蛍光体シート２０よりも上方（すなわち、蛍光体シート２０の、励起光源側との反対側）に設けることが好ましい。
【００５３】
＜蛍光体シート及び波長選択性反射膜の一体化シートの製造方法＞
図６を用いて、蛍光体シート及び波長選択性反射膜の一体化シート２５の製造方法の一例を説明する。一体化シート２５は、図６に示すように、攪拌工程（Ａ）と、ラミネート工程（Ｂ）と、抜き加工工程（Ｃ）とにより作製することができる。
【００５４】
攪拌工程（Ａ）では、溶剤により溶解された樹脂ペースト中に、赤色蛍光体２０Ｒ及び緑色蛍光体２０Ｇを所定の配合比で混合し、蛍光体含有樹脂ペーストを用意する。赤色蛍光体２０Ｒ及び緑色蛍光体２０Ｇのいずれか一方のみを用いてもよい。ラミネート工程（Ｂ）では、保護フィルム２２上に、上記蛍光体樹脂ペーストを塗布し、コータ１１０を用いて蛍光体樹脂ペーストの膜厚を均一にし、オーブン１２０にて蛍光体樹脂ペーストを乾燥させ、蛍光体層２１（図６に符号を図示せず）を形成する。そして、熱ラミネータ１３０を用いて蛍光体層２１上に波長選択性反射膜３０を貼り合わせ、蛍光体層２１が保護フィルム２２及び波長選択性反射膜３０に挟持された一体化シートの原反を得る。抜き加工工程（Ｃ）では、一体化シートの原反をプレス機１４０にて抜き加工し、端部側面に蛍光体層が露出した所定のサイズの一体化シート２５を得る。
【００５５】
（第２実施形態）
これまで、青色ＬＥＤ１０Ｂを用いることが好ましい第１実施形態に係る部分駆動型光源装置を説明してきた。本発明による部分駆動型光源装置は、リモートフォスファー方式に任意に適用可能であり、発光素子１０は青色ＬＥＤ１０Ｂに限られず、後述のマゼンタＬＥＤ１０Ｍを用いることもできる。以下、マゼンタＬＥＤ１０Ｍを用いる第２実施形態に係る部分駆動型光源装置を説明する。なお、ここで言うマゼンタＬＥＤ１０Ｍは、第一形態又は第二形態に既述の励起光源により作成することが可能である。すなわち、マゼンタＬＥＤ１０Ｍにおいては、樹脂材料に混ぜ合わせた蛍光体によりＬＥＤチップが覆われる、あるいは、ＬＥＤの発光面に蛍光体が直接塗布されている。そのため、第２実施形態では、複数種類の蛍光体を使用し、ある種類の蛍光体が蛍光体シート２０中に、他の種類の蛍光体がＬＥＤチップに用いられている。
【００５６】
＜励起光源＞
励起光源は、第１実施形態と同様に複数の発光素子１０からなり、部分駆動が可能である。第２実施形態では、発光素子１０は、上述のマゼンタＬＥＤ１０Ｍであることが好ましい。本明細書におけるマゼンタＬＥＤ１０Ｍの発光波長は、ＬＥＤ単体に起因する短波長側の中心発光波長が４４０ｎｍ〜４７５ｎｍ程度であり、蛍光体に起因する長波長側の中心発光波長が６００ｎｍ〜６８０ｎｍ程度である。このようなスペクトルの場合、ＬＥＤを点灯させると、ＬＥＤからの青色と、その青色光により励起されることにより蛍光体が赤色光を発し、両者が合成されることで、ＬＥＤがマゼンタ色に発光しているように見える。そこで、このようにＬＥＤと蛍光体を、樹脂を介して、又は直接塗布して一体化させ、上記発光波長となる光源を、マゼンタＬＥＤとして用いることができる。なお、励起光源の設置条件及び部分駆動するための制御回路等については、第１実施形態と同様である。
【００５７】
ここで、マゼンタＬＥＤ１０Ｍは、青色ＬＥＤと、該青色ＬＥＤのチップ上方面に配置された赤色蛍光体から構成されることが好ましく、赤色蛍光体はフッ化物赤色発光蛍光体であることが好ましい。このようなフッ化物赤色発光蛍光体として、Ｋ２ＴｉＦ６、Ｂａ２ＴｉＦ６、Ｎａ２ＴｉＦ６、Ｋ３ＺｒＦ７、Ｋ２ＳｉＦ６等を用いることができる。特に、フッ化物赤色発光蛍光体として、Ｋ２ＳｉＦ６を用いることが好ましい。
【００５８】
＜蛍光体シート＞
第２実施形態において、蛍光体シート２０は、第１実施形態と同様に赤色硫化物蛍光体及び緑色硫化物蛍光体の両方を含んでもよいが、緑色硫化物蛍光体のみを含むことが好ましい。蛍光体シート２０が、蛍光体を保護するフィルムを有していてもよいこと、蛍光体シート２０と波長選択性反射膜３０とが一体化した一体化シート２５を用いることが好ましいこと、等は、第１実施形態と同様である。
【００５９】
＜波長選択性反射膜＞
第２実施形態において、マゼンタＬＥＤ１０Ｍの発光波長領域に対応させるため、波長選択性反射膜３０は、マゼンタＬＥＤ１０Ｍからの発光波長領域の少なくとも一部を透過するとともに、緑色の波長領域の少なくとも一部の光を反射することが好ましい。このような波長選択性反射膜３０として、第１実施形態と同様、ダイクロイック・フィルタを用いることができる。
【００６０】
こうして、第２実施形態も、第１実施形態と同様に蛍光体シート２０からの後方回帰光に起因する色つきを顕著に抑制することができる。なお、第２実施形態に係る部分駆動型光源装置が拡散板、光学フィルム等を有することが好ましいのも、第１実施形態と同様である。また、部分駆動型光源装置の各構成の配置条件についても、第１実施形態と同様であり、重複する説明を省略する。
【００６１】
（画像表示装置）
本発明の画像表示装置は、少なくとも、前述した本発明の第１実施形態及び第２実施形態に従う部分駆動型光源装置を備え、さらに必要に応じて、その他の構成を有する。
【実施例１】
【００６２】
以下、実施例を用いて本発明をさらに詳細に説明するが、本発明は以下の実施例に何ら限定されるものではない。例えば、以下の実験例１では、蛍光体シートに緑色蛍光体及び赤色発光蛍光体はともに硫化物蛍光体を用いており、実験例３では蛍光体シートに緑色の硫化物蛍光体を用いているが、これらは一例に過ぎず、任意の蛍光体が適用可能であることは当業者に当然に理解される。
【００６３】
（実験例１）
＜発明例１＞
図７（Ａ）、（Ｂ）に模式的に示すようなバックライトを作製した。具体的には以下のとおりである。シャーシ５１の側壁をスペーサーとし、青色ＬＥＤ１０Ｂの上方には、拡散板４０（帝人社製５０Ｓ、厚み１．５ｍｍ）、波長選択性反射膜３０及び蛍光体シート２０からなる一体化シート２５（波長選択性反射膜３０がＬＥＤ側である。）、光学フィルム群７０をこの順に載置している。なお、この青色ＬＥＤは、ピーク波長４５５ｎｍ、半値幅２１ｎｍであり、ランバーシアンな発光分布を有する。本実験例においてはＬＥＤに約２．８Ｖを印加しＬＥＤ１つあたり５ｍＡを通電している。青色ＬＥＤ発光スペクトルを図８（Ａ）に示す。
【００６４】
波長選択性反射膜３０には、エドモンド・オプティクス・ジャパン株式会社製の「ダイクロイック・カラーフィルター（青）」を使用した。この波長選択性反射膜３０の分光反射スペクトルについては、後述の図９に示す。蛍光体シート２０は、青色光により励起されて緑色光を発光する硫化物蛍光体と、青色光により励起されて赤色光を発光する硫化物蛍光体とをバインダーに分散混和させ、それらをＰＥＴフィルムに塗布し、その塗布面に上記波長選択性反射膜３０を設置することで作製した。実験例１で使用した緑色及び赤色発光蛍光体の発光スペクトルを図８（Ｂ）、（Ｃ）にそれぞれ示す。また、青色ＬＥＤ１０Ｂと、緑色発光蛍光体および赤色発光蛍光体の各スペクトルの合成光がほぼ白色光となるように蛍光体の配合を調整している。
【００６５】
また、光学フィルム群７０は短辺方向をプリズム方向とするプリズムシート７１（３Ｍ社製、ＢＥＦ III）、長辺方向をプリズム方向とするプリズムシート７２（３Ｍ社製、ＢＥＦ III）及び反射型偏光性フィルム７３（３Ｍ社製、ＤＢＥＦ−Ｄ４００）からなる。
【００６６】
シャーシ５１の内寸は、横２７０ｍｍ、縦１８０ｍｍであり、シャーシ５１の底面に縦横共に３０ｍｍピッチで、横９個、縦６個の青色ＬＥＤ１０Ｂを正方格子状に配列し、励起光源とした。これらの青色ＬＥＤ１０Ｂは、横３個及び縦２個を１ユニットとして点灯・消灯をコントロールできるように回路が作られており、全体として横３ユニットかつ縦３ユニットでの点灯及び消灯動作が可能となっている。
【００６７】
なお、シャーシ５１の、青色ＬＥＤ１０Ｂの配置された面には、失われる光を最小限にしてバックライト輝度を向上させるため、青色ＬＥＤ１０Ｂの発光部のみに穴を開けた反射シート（図示せず）を設置し、光のリサイクル性を向上させた。さらに、青色ＬＥＤ１０Ｂを配置した領域横２７０ｍｍ、縦１８０ｍｍの周囲には、青色ＬＥＤ１０Ｂの設置面に対し光学部材を平行に設置するため、シャーシ５１の側壁をスペーサーとした。スペーサーの高さは３０ｍｍであり、内側には青色ＬＥＤ１０Ｂの配置面と同様に、失われる光を減らすために反射シート（図示せず）を設置している。
以上のようにして、発明例１に係るバックライトを作製した。
【００６８】
＜比較例１＞
発明例１において、波長選択性反射膜３０及び蛍光体シート２０からなる一体化シート２５を作製した代わりに、波長選択性反射膜３０のない蛍光体シート２０を作製した以外は、発明例１と同様にして比較例１に係るバックライトを作製した。蛍光体シート２０の作製においては、蛍光体が混和されたバインダーをＰＥＴフィルムに塗布した後、同じＰＥＴフィルムをラミネート加工し作製した。
【００６９】
＜評価＞
以上の発明例１及び比較例１のバックライトについて、（Ａ）バックライト発光スペクトルの測定、及び（Ｂ）色度差評価を行い、評価した。
【００７０】
（Ａ）バックライト発光スペクトルの測定
発明例１のバックライトと、比較例１のバックライトのスペクトルを図９に示す。図９には、波長選択性反射膜３０の分光反射率を併せて示す。なお、図９に示す分光反射率は、波長選択性反射膜３０に対する入射角０度、すなわち波長選択性反射膜３０に対し測定光が直交入射する配置で測定されたものである。波長選択性反射膜の分光特性は入射角に依存し、この入射角依存性は図１０に示すとおりであった。
【００７１】
（Ｂ）色度差評価
発明例１及び比較例１に係るバックライトのそれぞれを、図１１に示すように、領域Ｒ１〜Ｒ９に分割し（各領域では横3個、縦2個のLEDのみ点灯する。各領域は横90mm、縦60mmである。）、領域Ｒ５のみ部分駆動させた。そして、図１２に示すように、カメラ型輝度色度計（Radiant Imaging社製、PM-1423F-1）を用いてバックライトの輝度及び色度を、各領域Ｒ２、Ｒ４〜Ｒ６、Ｒ８の中心位置で測定した。
【００７２】
色度を評価するため、以下の測定及び計算を行った。
（１）各点の色度ｕ'ｉおよびｖ’ｉ（ｉ＝２、４〜６、８）を測定する。
（２）Ｒ５の中心位置と、Ｒ２、Ｒ４、Ｒ６、Ｒ８の各中心位置との間でｕ’ｉ，ｖ’ｉの差分Δｕ'ｉ，Δｖ’ｉをそれぞれ計算する。それらの平方和Δｕ’ｖ’ｉを、Ｒ５の中心位置と、Ｒ２、Ｒ４、Ｒ６、Ｒ８の各中心位置周囲の点との色度差とする。すなわち、Δｕ’ｖ’ｉは以下の計算式となる。
Δｕ’ｖ’ｉ＝√｛（Δｕ'ｉ）２＋（Δｖ’ｉ）２｝
＝√｛（ｕ'ｉ−ｕ'5）２＋（ｖ'ｉ−ｖ'5）２｝
（３）ｉ＝２、４、６、８の４点での上記のΔｕ’ｖ’ｉの平均値をΔｕ’ｖ’として計算し、色つき度合いの指標とする。
（４）発明例１及び比較例１の値Δｕ’ｖ’を比較する。
【００７３】
発明例１では、Δｕ’ｖ’＝0.0043であった。
比較例１では、Δｕ’ｖ’＝0.0645であった。
【００７４】
以上の結果から、以下のことが確認された。
まず、図９，１０より、発明例１における一体化シート２５は、蛍光体シート２０からの発光（出射光）を確実に反射していることが確認された。さらに、発明例１と比較例１とを比較すると、部分駆動させた領域の中心と、周辺領域とで色度差が顕著に低下していることも確認できた。したがって、発明例１に係るバックライトは、比較例１に係るバックライトに比べて、一体化シート２５を用いることで、色つきを極めて有効に抑制できたということができる。この効果は、蛍光体シート２０による出射光のうち、拡散板と反射シートの間の空間で乱反射した光の非点灯部への拡散を抑制できたためだと本発明者らは考えている。
【００７５】
（実験例２）
＜発明例２＞
発明例１において、蛍光体シート２０の蛍光体に硫化物蛍光体を用いたことに替えて、黄色光を発光する１波長型のＹＡＧ蛍光体を用いたこと以外は、発明例１と同様のバックライトを作製し、発明例２に係るバックライトを作製した。
【００７６】
＜比較例２＞
比較例１において、蛍光体シート２０の蛍光体に硫化物蛍光体を用いたことに替えて、黄色光を発光する１波長型のＹＡＧ蛍光体を用いたこと以外は、比較例１と同様のバックライトを作製し、比較例２に係るバックライトを作製した。
【００７７】
実験例１と同様に、発明例２及び比較例２に係るバックライトを評価した。発明例２のバックライトと、比較例２のバックライトのスペクトルを図１３に示す。また、実験例１と同様に色度差を測定し、計算したところ、以下のとおりであった。
発明例２では、Δｕ’ｖ’＝0.0090であった。
比較例２では、Δｕ’ｖ’＝0.0363であった。
【００７８】
実験例２においても、実験例１と同様に、一体化シート２５を用いることで、色つきを極めて有効に抑制できたということができる。また、実験例１，２の結果から、本発明の効果は蛍光体シートにおける蛍光体の種類に何ら限定されないことも確認できた。
【実施例２】
【００７９】
（実験例３）
＜発明例３＞
実験例１，２において用いた青色ＬＥＤに替え、発光素子としてマゼンタＬＥＤを用いた。マゼンタＬＥＤは、以下のようにして作製した。まず、励起光源として、青色ＬＥＤチップを基板上にマウントした後、青色光によって励起され赤色光を発するフッ化物蛍光体を分散させた樹脂をポッティングした。このＬＥＤからの青色発光は、ピーク波長４４５ｎｍ、半値幅１８ｎｍであり、ポッティング前のＬＥＤ単体ではランバーシアンな発光分布を持つ。ポッティングされた蛍光体樹脂はおおむね半球状に形成され、その半径は約１ｍｍであった。なお、この構成により、ＬＥＤを点灯させると、ＬＥＤからの青色と、その青色光により励起されることによりフッ化物蛍光体が赤色光を発し、両者が合成されることで、ＬＥＤがマゼンタ色に発光しているように見える。このマゼンタＬＥＤからの発光スペクトルを図１４に示す。４４５ｎｍをピークとするスペクトルが青色ＬＥＤチップからの発光であり、６３３ｎｍにピークを有する３つの多峰型のスペクトルがフッ化物蛍光体からの発光である。
【００８０】
このマゼンタＬＥＤを使用し、図１５（Ａ）〜（Ｃ）に模式的に示すようなバックライトを作製した。マゼンタＬＥＤを４８個使用し、図１５（Ａ）に図示するように菱形格子状にシャーシ１５１（バックライト底面）に配列した。シャーシ１５１の内寸は横３１０ｍｍ、縦１３２ｍｍであり、各ＬＥＤの横方向は３８．５ｍｍピッチとし、垂直縦方向は４４ｍｍピッチに配置した。
【００８１】
なお、シャーシ１５１の、マゼンタＬＥＤ１０Ｍの配置された面には、失われる光を最小限にしてバックライト輝度を向上させるため、マゼンタＬＥＤ１０Ｍの発光部のみに穴を開けた反射シート（図示せず）を設置し、光のリサイクル性を向上させた。さらに、シャーシ１５１の周囲には、マゼンタＬＥＤ１０Ｍの設置面に対し光学部材を平行に設置するため、発明例１、２と同様、シャーシ１５１の側壁をスペーサーとした。側壁の高さは３０ｍｍとした。
【００８２】
この側壁の上に、図１５（Ｃ）に示すように、拡散板１４０、波長選択性反射膜一体化蛍光体シート１２５（波長選択性反射膜１３０がＬＥＤ側である。）、光学シート群１７０を順に設置した。光学フィルム群は、ＬＥＤに近い側から、拡散シート１７１（恵和株式会社製ＢＳ−９１２）、プリズムシート１７２（３Ｍ社製、ＢＥＦ III）及び反射型偏光性フィルム１７３（３Ｍ社製、ＤＢＥＦ−Ｄ４００）からなる。
【００８３】
ここで、蛍光体シート１２０中の蛍光体には、硫化物系の緑色蛍光体のみ使用した。ＬＥＤからの青色光およびＬＥＤ上の赤色蛍光体からの赤色光と合成することで、バックライトとして白色光が生成される。
【００８４】
また、波長選択性反射膜１３０には、エドモンド・オプティクス・ジャパン株式会社製の「ダイクロイック・カラーフィルター（マゼンタ）」を使用した。この波長選択性反射膜１３０の分光反射スペクトルについては、後述の図１６に示す。
以上のようにして、発明例３に係るバックライトを作製した。
【００８５】
＜比較例３＞
発明例３において、波長選択性反射膜及び蛍光体シートからなる一体化シートを作製した代わりに、波長選択性反射膜のない蛍光体シートを作製した以外は、発明例３と同様にして比較例３に係るバックライトを作製した。蛍光体シートの作製においては、蛍光体が混和されたバインダーをＰＥＴフィルムに塗布した後、同じＰＥＴフィルムをラミネート加工し作製した。
【００８６】
＜評価＞
以上の発明例３及び比較例３のバックライトについて、（Ａ）バックライト発光スペクトルの測定、及び（Ｂ）色度差評価を行い、評価した。
【００８７】
（Ａ）バックライト発光スペクトルの測定
発明例３及び比較例３のバックライトによる白色光のスペクトルを、波長選択性反射膜１３０の分光反射率と合わせて図１６に示す。なお、図１６に示す分光反射率は、波長選択性反射膜１３０に対する入射角０度、すなわち波長選択性反射膜３０に対し測定光が直交入射する配置で測定されたものである。
【００８８】
（Ｂ）色度差評価
実験例３のシャーシは実験例１、２に比較して細長い形状であるため、図１７に示すように、バックライト中央部を縦方向に点灯（図面中央部の１２個が点灯）させ、バックライト横方向の色度分布を測定し、全ＬＥＤ点灯の場合と比較することで色付き抑制効果を評価した。すなわち、実施例１と同様に、カメラ型輝度色度計を用いてバックライトの輝度及び色度を、各領域Ｒ１０〜Ｒ１２における図示の測定点で測定した。すなわち、Ｒ１０における測定点は画面中心位置であり、Ｒ１１及びＲ１２の測定点の位置はバックライト長軸上の中心と側壁部の中間点である。
【００８９】
色度を評価するため、以下の測定及び計算を行った。
（１）各点の色度ｕ'ｉおよびｖ’ｉ（ｉ＝１０、１１、１２）を測定する。
（２）Ｒ１０と、Ｒ１１及びＲ１２との各測定点間でｕ’ｉ，ｖ’ｉの差分Δｕ'ｉ，Δｖ’ｉ（ｉ＝１１、１２）をそれぞれ計算する。それらの平方和Δｕ’ｖ’ｉを、Ｒ１０と、Ｒ１１及びＲ１２の色度差とする。すなわち、Δｕ’ｖ’ｉは以下の計算式となる。
Δｕ’ｖ’ｉ＝√｛（Δｕ'ｉ）２＋（Δｖ’ｉ）２｝
＝√｛（ｕ'ｉ-ｕ'0）２＋（ｖ'ｉ-ｖ'0）２｝
（３）ｉ＝１１、１２の２点での上記のΔｕ’ｖ’ｉの平均値をΔｕ’ｖ’として計算し、色つき度合いの指標とする。
（４）発明例３及び比較例３の値Δｕ’ｖ’を比較する。
【００９０】
発明例３では、Δｕ’ｖ’＝0.0102であった。
比較例３では、Δｕ’ｖ’＝0.0283であった。
【００９１】
以上の結果から、発明例１、２の系と同様、マゼンタＬＥＤと緑色蛍光体シートの系のように、ＬＥＤ表面に蛍光体が用いられていても、これに合う光学特性を有する波長選択性反射膜を選択することで、色付き現象を抑制できることが確認された。
【産業上の利用可能性】
【００９２】
本発明によれば、複数の発光素子を部分的に駆動するときの、暗部となるべき部分への色つきを抑制することのできる部分駆動型光源装置を提供することができる。
【符号の説明】
【００９３】
１・・・部分駆動型光源装置
１０・・・発光素子
１０Ｂ・・青色ＬＥＤ
１０Ｍ・・マゼンタＬＥＤ
２０・・・蛍光体シート
２５・・・一体化シート
３０・・・波長選択性反射膜
４０・・・拡散板
【図１】
2017084827.tif 000003
【図２】
2017084827.tif 000004
【図３】
2017084827.tif 000005
【図４】
2017084827.tif 000006
【図５】
2017084827.tif 000007
【図６】
2017084827.tif 000008
【図７】
2017084827.tif 000009
【図８】
2017084827.tif 000010
【図９】
2017084827.tif 000011
【図１０】
2017084827.tif 000012
【図１１】
2017084827.tif 000013
【図１２】
2017084827.tif 000014
【図１３】
2017084827.tif 000015
【図１４】
2017084827.tif 000016
【図１５】
2017084827.tif 000017
【図１６】
2017084827.tif 000018
【図１７】
2017084827.tif 000019
【手続補正書】
【提出日】平成29年3月24日(2017.3.24)
【手続補正１】
【補正対象書類名】特許請求の範囲
【補正対象項目名】全文
【補正方法】変更
【補正の内容】
【特許請求の範囲】
【請求項１】
複数の発光素子からなり、部分駆動可能な励起光源と、
前記励起光源と離隔して配置され、前記励起光源からの入射光の波長領域の少なくとも一部を変換して、前記入射光とは異なる波長領域の出射光を放出する蛍光体を含む蛍光体シートと、
前記励起光源及び前記蛍光体シートとの間に配置され、前記励起光源からの前記入射光の波長領域の少なくとも一部の光を透過するとともに、前記蛍光体シートからの前記出射光の波長領域の少なくとも一部の光を反射する波長選択性反射膜と、
前記蛍光体シートの上方に設けられた光学フィルム群と、を有することを特徴とする部分駆動型光源装置。
【請求項２】
前記蛍光体シートと前記波長選択性反射膜とが隣接して配置される、請求項１に記載の部分駆動型光源装置。
【請求項３】
前記蛍光体シートと前記波長選択性反射膜とが一体化している、請求項１に記載の部分駆動型光源装置。
【請求項４】
前記励起光源における前記複数の発光素子が格子状に配列する、請求項１〜３のいずれか１項に記載の部分駆動型光源装置。
【請求項５】
前記励起光源と前記波長選択性反射膜との間に拡散板を更に有する、請求項１〜４のいずれか１項に記載の部分駆動型光源装置。
【請求項６】
前記発光素子が青色ＬＥＤである、請求項１〜５のいずれか１項に記載の部分駆動型光源装置。
【請求項７】
前記波長選択性反射膜は、前記青色ＬＥＤの発光波長領域の少なくとも一部を透過するとともに、緑色から赤色にかけての波長領域の少なくとも一部の光を反射する、請求項６に記載の部分駆動型光源装置。
【請求項８】
前記発光素子がマゼンタＬＥＤである、請求項１〜５のいずれか１項に記載の部分駆動型光源装置。
【請求項９】
前記マゼンタＬＥＤは、青色ＬＥＤと、該青色ＬＥＤのチップ上方面に配置された赤色蛍光体から構成される、請求項８に記載の部分駆動型光源装置。
【請求項１０】
前記赤色蛍光体はフッ化物赤色発光蛍光体である、請求項９に記載の部分駆動型光源装置。
【請求項１１】
前記フッ化物赤色発光蛍光体は、Ｋ２ＳｉＦ６である、請求項１０に記載の部分駆動型光源装置。
【請求項１２】
前記波長選択性反射膜は、前記マゼンタＬＥＤの発光波長領域の少なくとも一部を透過するとともに、緑色の波長領域の少なくとも一部の光を反射する、請求項８〜１１のいずれか１項に記載の部分駆動型光源装置。
【請求項１３】
前記蛍光体シートの前記蛍光体は、硫化物系蛍光体である、請求項１〜１２のいずれか１項に記載の部分駆動型光源装置。
【請求項１４】
前記硫化物系蛍光体は、赤色硫化物蛍光体及び緑色硫化物蛍光体のうちの少なくともいずれかを含む、請求項１３に記載の部分駆動型光源装置。
【請求項１５】
前記赤色硫化物蛍光体は、硫化カルシウム蛍光体であり、前記緑色硫化物蛍光体は、チオガレート蛍光体である、請求項１４に記載の部分駆動型光源装置。
【請求項１６】
前記蛍光体シートの前記蛍光体は、イットリウムセリウムアルミニウムガーネット蛍光体である、請求項１〜７のいずれか１項に記載の部分駆動型光源装置。
【請求項１７】
請求項１〜１６のいずれか１項に記載の部分駆動型光源装置を備えることを特徴とする画像表示装置。
【手続補正２】
【補正対象書類名】明細書
【補正対象項目名】００１８
【補正方法】変更
【補正の内容】
【００１８】
本発明は、本発明者らによる前記知見に基づくものであり、前記諸課題を解決するための手段としては以下の通りである。即ち、
＜１＞  複数の発光素子からなり、部分駆動可能な励起光源と、
前記励起光源と離隔して配置され、前記励起光源からの入射光の波長領域の少なくとも一部を変換して、前記入射光とは異なる波長領域の出射光を放出する蛍光体を含む蛍光体シートと、
前記励起光源及び前記蛍光体シートとの間に配置され、前記励起光源からの前記入射光の波長領域の光の少なくとも一部を透過するとともに、前記蛍光体シートからの前記出射光の波長領域の少なくとも一部の光を反射する波長選択性反射膜と、
前記蛍光体シートの上方に設けられた光学フィルム群と、を有することを特徴とする部分駆動型光源装置である。
該＜１＞に記載の部分駆動型光源装置は、複数の発光素子を部分的に駆動するときの、暗部となるべき部分への色つきを抑制することができる。